(57)【要約】      （修正有）【課題】手袋やグローブを着用したままでも、タッチパネル上での操作を円滑に行うことができる携帯電子機器を提供する。【解決手段】タッチパネルを備えた携帯電話機の制御部は、タッチ操作がグローブ着用のまま行われるか否かの操作判定を行うとともに、タッチ操作がグローブ着用のまま行われるとの判定結果に基づいて、選択対象となる複数のオブジェクト（編集ボックス１０４ａ）が表示されたディスプレイ３にタッチ操作を受け付けるための選択領域１０６を設け、選択領域１０６に対するタッチ操作に基づいて複数のオブジェクトの中から何れかのオブジェクトを選択する。【選択図】図８
2015225553.tif 000002
【特許請求の範囲】
【請求項１】
表示部と、
前記表示部に対するタッチ操作を検出する操作検出部と、
タッチ操作に応じた制御処理を行う制御部と、を備え、
前記制御部は、
タッチ操作がグローブ着用のまま行われるか否かの操作判定を行うとともに、
タッチ操作がグローブ着用のまま行われるとの判定結果に基づいて、選択対象となる複数のオブジェクトが表示された前記表示部に、タッチ操作を受け付けるための受付領域を設け、
前記受付領域に対するタッチ操作に基づいて、前記複数のオブジェクトの中から何れかのオブジェクトを選択する、
ことを特徴とする携帯電子機器。
【請求項２】
請求項１に記載の携帯電子機器において、
前記複数のオブジェクトは、タッチ操作の途中であってそのオブジェクトがタッチされた段階で、タッチされたことを示す通知がなされないオブジェクトを含む、
ことを特徴とする携帯電子機器。
【請求項３】
請求項２に記載の携帯電子機器において、
前記複数のオブジェクトは、情報が入力されるボックスの画像およびハイパーリンクが設定された画像のうち、少なくとも一つを含む、
ことを特徴とする携帯電子機器。
【請求項４】
請求項１ないし３の何れか一項に記載の携帯電子機器において、
前記制御部は、前記表示部において、前記複数のオブジェクトを避けた領域に、目視可能に前記受付領域を設ける、
ことを特徴とする携帯電子機器。
【請求項５】
請求項１ないし４の何れか一項に記載の携帯電子機器において、
前記制御部は、前記複数のオブジェクトが表示された前記表示部に対して行われたタッチ操作に基づいて前記操作判定を行う、
ことを特徴とする携帯電子機器。
【請求項６】
請求項５に記載の携帯電子機器において、
前記制御部は、前記複数のオブジェクトが表示された前記表示部に対して行われたタッチ操作におけるタッチ位置が、前記オブジェクトの位置である場合、前記操作判定を行わない、
ことを特徴とする携帯電子機器。
【請求項７】
請求項５または６に記載の携帯電子機器において、
前記制御部は、前記複数のオブジェクトが表示される前に前記表示部に対して行われたタッチ操作に基づいて前記操作判定を行い、当該操作判定により、タッチ操作がグローブ着用のまま行われるとの判定結果が得られたとき、前記複数のオブジェクトが表示された前記表示部において、前記複数のオブジェクトが表示された状態での前記操作判定の前に前記受付領域を設ける、
ことを特徴とする携帯電子機器。
【請求項８】
表示部と、前記表示部に対するタッチ操作を検出する操作検出部と、を備える携帯電子機器の制御方法であって、
タッチ操作がグローブ着用のまま行われるか否かの操作判定を行うステップと、
タッチ操作がグローブ着用のまま行われるとの判定結果に基づいて、選択対象となる複数のオブジェクトが表示された前記表示部に、タッチ操作を受け付けるための受付領域を設けるステップと、
前記受付領域に対するタッチ操作に基づいて、前記複数のオブジェクトの中から何れかのオブジェクトを選択するステップと、を含む、
ことを特徴とする制御方法。
【請求項９】
表示部と、前記表示部に対するタッチ操作を検出する操作検出部と、を備える携帯電子機器のコンピュータに、
タッチ操作がグローブ着用のまま行われるか否かの操作判定を行う機能と、
タッチ操作がグローブ着用のまま行われるとの判定結果に基づいて、選択対象となる複数のオブジェクトが表示された前記表示部に、タッチ操作を受け付けるための受付領域を設ける機能と、
前記受付領域に対するタッチ操作に基づいて、前記複数のオブジェクトの中から何れかのオブジェクトを選択する機能と、を付与する、
ことを特徴とするプログラム。
【発明の詳細な説明】
【技術分野】
【０００１】
本発明は、携帯端末装置、デジタルカメラ、デジタルビデオカメラ、携帯音楽プレーヤー、携帯ゲーム機等の携帯電子機器に関する。携帯端末装置は、携帯電話機、ＰＤＡ（Personal Digital Assistant）、タブレットＰＣ（TabletPC）等を含む。また、本発明は、携帯電子機器に適用できる、携帯電子機器の制御方法およびプログラムに関する。
【背景技術】
【０００２】
近年、携帯電話機等の携帯端末装置では、筐体の正面にタッチパネルを有するディスプレイを配し、ユーザのディスプレイに対する操作をタッチパネルにより検出する構成が主流となっている（特許文献１参照）。
【先行技術文献】
【特許文献】
【０００３】
【特許文献１】特開２０１２−２０３８９５号公報
【発明の概要】
【発明が解決しようとする課題】
【０００４】
ディスプレイに対する操作は、指により行われることが多いが、寒い季節には、防寒用のグローブを装着した指で操作が行われる場合がある。また、屋外での作業する人は作業用のグローブを装着した状態で携帯電子機器を操作したい場合がある。しかしながら、ディスプレイに表示された画面に選択可能なアイテム（オブジェクト）が密集しており、アイテムの選択に細かな操作が要求される場合には、ユーザは、グローブを装着したまま思い通りに選択操作を行うことが難しい。
【０００５】
そこで、本発明は、ディスプレイ上での操作を円滑に行うことができる携帯電子機器を提供することを目的とする。
【課題を解決するための手段】
【０００６】
本発明の第１の態様は、携帯電子機器に関する。本態様に係る携帯電子機器は、表示部と、前記表示部に対するタッチ操作を検出する操作検出部と、タッチ操作に応じた制御処理を行う制御部と、を備える。ここで、前記制御部は、タッチ操作がグローブ着用のまま行われるか否かの操作判定を行うとともに、タッチ操作がグローブ着用のまま行われるとの判定結果に基づいて、選択対象となる複数のオブジェクトが表示された前記表示部に、タッチ操作を受け付けるための受付領域を設け、前記受付領域に対するタッチ操作に基づいて、前記複数のオブジェクトの中から何れかのオブジェクトを選択する。
【０００７】
本態様に係る携帯電子機器において、前記複数のオブジェクトは、タッチ操作の途中であってそのオブジェクトがタッチされた段階で、タッチされたことを示す通知がなされないオブジェクトを含み得る。
【０００８】
上記の構成とされた場合、さらに、前記複数のオブジェクトは、情報が入力されるボックスの画像およびハイパーリンクが設定された画像のうち、少なくとも一つを含み得る。
【０００９】
本態様に係る携帯電子機器において、前記制御部は、前記表示部において、前記複数のオブジェクトを避けた領域に、目視可能に前記受付領域を設ける構成とされ得る。
【００１０】
本態様に係る携帯電子機器において、前記制御部は、前記複数のオブジェクトが表示された前記表示部に対して行われたタッチ操作に基づいて前記操作判定を行う構成とされ得る。
【００１１】
上記の構成とされた場合、さらに、前記制御部は、前記複数のオブジェクトが表示された前記表示部に対して行われたタッチ操作におけるタッチ位置が、前記オブジェクトの位置である場合、前記操作判定を行わない構成とされ得る。
【００１２】
また、上記の構成とされた場合、さらに、前記制御部は、前記複数のオブジェクトが表示される前に前記表示部に対して行われたタッチ操作に基づいて前記操作判定を行い、当該操作判定により、タッチ操作がグローブ着用のまま行われるとの判定結果が得られたとき、前記複数のオブジェクトが表示された前記表示部において、前記複数のオブジェクトが表示された状態での前記操作判定の前に前記受付領域を設ける構成とされ得る。
【００１３】
本発明の第２の態様は、表示部と、前記表示部に対するタッチ操作を検出する操作検出部と、を備える携帯電子機器の制御方法に関する。本態様に係る制御方法は、タッチ操作がグローブ着用のまま行われるか否かの操作判定を行うステップと、タッチ操作がグローブ着用のまま行われるとの判定結果に基づいて、選択対象となる複数のオブジェクトが表示された前記表示部に、タッチ操作を受け付けるための受付領域を設けるステップと、前記受付領域に対するタッチ操作に基づいて、前記複数のオブジェクトの中から何れかのオブジェクトを選択するステップと、を含む。
【００１４】
本発明の第３の態様は、表示部と、前記表示部に対するタッチ操作を検出する操作検出部と、を備える携帯電子機器のコンピュータに適用されるプログラムに関する。本態様に係るプログラムは、タッチ操作がグローブ着用のまま行われるか否かの操作判定を行う機能と、タッチ操作がグローブ着用のまま行われるとの判定結果に基づいて、選択対象となる複数のオブジェクトが表示された前記表示部に、タッチ操作を受け付けるための受付領域を設ける機能と、前記受付領域に対するタッチ操作に基づいて、前記複数のオブジェクトの中から何れかのオブジェクトを選択する機能と、を付与する。
【発明の効果】
【００１５】
本発明の一態様によれば、ディスプレイ上での操作を円滑に行うことができる携帯電子機器を提供することができる。
【００１６】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、ホーム画面が表示されたディスプレイを示す図である。
【図４】実施の形態に係る、情報登録画面およびウェブ画面が表示されたディスプレイを示す図である。
【図５】実施の形態に係る、コンタクト情報登録処理を示すフローチャートである。
【図６】実施の形態に係る、コンタクト情報登録処理を示すフローチャートである。
【図７】実施の形態に係る、タップ操作により、入力用の編集ボックスおよび選択用の編集ボックスが選択された状態の情報登録画面を示す図である。
【図８】実施の形態に係る、選択領域が重ねられた状態の情報登録画面、選択領域内でのスライド操作により先頭の編集ボックスが選択された状態の情報登録画面、および、選択領域内でのタップ操作により選択用の編集ボックスの表示内容が変更された状態の情報登録画面を示す図である。
【図９】実施の形態に係る、選択領域内でのスライド操作の繰り返しにより、各編集ボックスが順番に選択されていく様子を示す図である。
【図１０】実施の形態に係る、ブラウジング処理を示すフローチャートである。
【図１１】実施の形態に係る、ブラウジング処理を示すフローチャートである。
【図１２】実施の形態に係る、リンク画像に対するタップ操作がなされた状態のウェブ画面、リンク画像に対するタップ操作に基づいて表示されたリンク先のウェブ画面、および、選択領域内でのスライド操作により先頭のリンク画像が選択された状態のウェブ画面を示す図である。
【図１３】実施の形態に係る、選択領域内でのスライド操作の繰り返しにより、各リンク画像が順番に選択されていく様子を示す図である。
【図１４】変更例に係る、グローブ判定処理を示すフローチャートである。
【図１５】変更例に係る、コンタクト情報登録処理を示すフローチャートである。
【図１６】その他の変更例に係る、選択領域が重ねられた状態の情報登録画面を示す図である。
【発明を実施するための形態】
【００１８】
以下、本発明の実施の形態について、図面を参照して説明する。
【００１９】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００２０】
図１（ａ）ないし（ｃ）に示されるように、携帯電話機１は、キャビネット２と、ディスプレイ３と、タッチパネル４と、マイクロフォン５と、通話スピーカ６と、外部スピーカ７と、カメラ８とを含む。
【００２１】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、液晶ディスプレイであり、液晶パネルと、液晶パネルを照明するＬＥＤバックライトを含む。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２２】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２３】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２４】
キャビネット２の上部には、背面側にカメラ８が配されている。カメラ８は、携帯電話機１の背面方向に存在する撮影対象を撮影する。カメラ８は、ＣＣＤ、ＣＭＯＳセンサ等の撮像素子と、撮影対象の像を撮像素子に結像させるレンズとを含む。
【００２５】
図２は、携帯電話機１の全体構成を示すブロック図である。
【００２６】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、撮影部２０と、加速度検出部２１とを含む。
【００２７】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、電話帳（コンタクツ）、カメラ、ウェブブラウザ、地図、ゲーム、スケジュール管理、等のアプリケーションを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２８】
記憶部１２には、プログラムの実行の際、一時的に利用または生成されるデータを記憶するワーキング領域も含まれる。
【００２９】
記憶部１２は、コンタクト情報データベース１２ａを含む。コンタクト情報データベース１２ａには、電話番号、メールアドレス、住所等のコンタクト情報が、当該コンタクト情報の保有者毎に記憶される。
【００３０】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、撮影部２０、加速度検出部２１等）を制御する。
【００３１】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３２】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００３３】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。また、タッチパネル４を含むキャビネット２の正面が、ガラス等で構成される透明なカバーで覆われる場合、タッチパネル４へ触れようとする指はタッチパネル４でなくカバーに接触する。この場合、タッチパネル４は、指がカバーに接触したとき、あるいはカバーに近接したときにタッチ位置を検出する。
【００３４】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３５】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３６】
音声入力部１５は、マイクロフォン５を含む。音声入力部１５は、マイクロフォン５からの電気信号を音声処理部１７へ出力する。
【００３７】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３８】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３９】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４０】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４１】
撮影部２０は、図１（ｂ）に示すカメラ８、撮像制御回路などを含む。撮影部２０は、制御部１１からの制御信号に従って動画または静止画を撮影し、撮影された動画の動画データまたは静止画の静止画データに各種の画像処理およびエンコード処理を施し、処理後の動画データまたは静止画データを制御部１１に出力する。
【００４２】
加速度検出部２１は、３軸加速度センサを含む。３軸加速度センサは、携帯電話機１の前後方向、上下方向および左右方向の３方向に生じる加速度を検出する。加速度検出部２１は、３軸加速度センサが検出した加速度を示す加速度信号を制御部１１に出力する。
【００４３】
図３は、ホーム画面１０１が表示されたディスプレイ３を示す図である。
【００４４】
携帯電話機１では、種々の画面がディスプレイ３に表示され、画面上においてユーザにより種々のタッチ操作がなされる。たとえば、初期画面として、ホーム画面１０１がディスプレイ３に表示される。図３に示すように、ホーム画面１０１は、各種のアプリケーションを起動するための起動用アイコン１０１ａを含む。起動用アイコン１０１ａには、たとえば、電話アイコン１０１ｂ、メールアイコン１０１ｃ、電話帳アイコン１０１ｄ、ブラウザアイコン１０１ｅ等が含まれる。
【００４５】
ディスプレイ３には、ホーム画面１０１の他に、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００４６】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２は、ディスプレイ３に表示され続ける。
【００４７】
さて、ユーザによるディスプレイ３に対する操作は、通常、指により行われることが多いが、寒い季節には、グローブを装着した指で操作が行われる場合もある。しかしながら、ディスプレイ３に表示された画面に選択可能なオブジェクトが密集しており、オブジェクトの選択に細かな操作が要求される場合には、ユーザは、グローブを装着したまま思い通りに選択操作を行うことが難しい。
【００４８】
たとえば、電話帳アイコン１０１ｄに対するタップ操作により電話帳のアプリケーションが起動され、たとえば、電話帳のアプリケーションの初期画面において、コンタクト情報を登録するための操作がなされると、図４（ａ）に示すような、情報登録画面１０４がディスプレイ３に表示される。情報登録画面１０４は、コンタクト情報を入力するための編集ボックス１０４ａの他、キャンセルボタン１０４ｂ、セーブボタン１０４ｃ、キーボード１０４ｄ等を含む。ここで、情報登録画面１０４では、複数の編集ボックス１０４ａが比較的密集した状態で配置されている。入力対象となる編集ボックス１０４ａの選択は、その編集ボックス１０４ａに対するタッチ操作により行われるが、上記のように、グローブを着用したままタッチ操作が行われた場合、所望の編集ボックス１０４ａにうまくタッチできず、編集ボックス１０４ａの外の位置や隣接する編集ボックス１０４ａにタッチされやすい。タッチ操作が行われた後、選択された編集ボックス１０４ａでは、カーソルが表示されるなど、選択されたことが識別できる表示がなされる。ユーザは、所望の編集ボックス１０４ａに識別表示がなさないことにより、選択に失敗したことを知ると、所望の編集ボックス１０４ａが正しく選択されるまでタッチ操作を繰り返さなければならない。なお、キーボード１０４ｄの各キーも比較的密集した状態で配置されており、グローブを装着したままでは、所望のキーへの正確なタッチが行われにくい。しかしながら、キーボード１０４ｄに対するタッチ操作においては、図４（ｂ）に示すように、タッチ操作の途中であってそのキーがタッチされた段階で、タッチされたキーの拡大表示により、タッチされたキーが何れのキーであるかの通知がなされる。このため、ユーザは指をずらすことにより所望のキーにタッチできるので、編集ボックス１０４ａと違って、誤ったタッチ操作によってタッチ操作の繰り返されることは少ない。
【００４９】
また、たとえば、ブラウザアイコン１０１ｅに対するタップ操作によりウェブブラウザのアプリケーションが起動されると、図４（ｃ）に示すような、ウェブ画面１０５がディスプレイ３に表示される。ウェブ画面１０５には、表示された文書中の特定の文字列や写真にハイパーリンクが設定される場合がある。そして、ハイパーリンクが設定された、文字列や写真等の画像１０５ａ（以下、「リンク画像１０５ａ」と称する）が、文書内において比較的密集した状態で配置される場合がある。このようなウェブ画面１０５において、グローブを着用したままタッチ操作が行われた場合、上述した編集ボックス１０４ａの場合と同様、所望のリンク画像１０５ａにうまくタッチできないことが生じやすい。別のリンク画像１０５ａに対してタッチ操作が行われた場合には、誤ったリンク先の画面に移行されてしまうので、画面を戻してタッチ操作をやり直す必要が生じでしまい、ユーザにとって、非常に面倒な事態となってしまう。
【００５０】
そこで、本実施の形態の携帯電話機１では、複数の編集ボックス１０４ａ、複数のリンク画像１０５ａなど、複数の選択対象となるオブジェクトが含まれる画面（情報登録画面１０４、ウェブ画面１０５）がディスプレイ３に表示される場合に、グローブが着用されたままでも容易に所望のオブジェクトの選択を可能とするための制御処理、即ち、グローブ対応制御処理が、制御部１１によって実行される。
【００５１】
＜実施例１＞
本実施例では、電話帳のアプリケーションに、グローブ対応制御処理が適用されている。
【００５２】
図５および図６は、電話帳のアプリケーションに含まれる、コンタク情報を登録するためのコンタクト情報登録処理を示すフローチャートである。図７（ａ）および（ｂ）は、それぞれ、タップ操作により、入力用の編集ボックス１０４ａ１および選択用の編集ボックス１０４ａ２が選択された状態の情報登録画面１０４を示す図である。図８（ａ）、（ｂ）および（ｃ）は、それぞれ、選択領域１０６が重ねられた状態の情報登録画面１０４、選択領域１０６内でのスライド操作により先頭の編集ボックス１０４ａが選択された状態の情報登録画面１０４、および、選択領域１０６内でのタップ操作により選択用の編集ボックス１０４ａ２の表示内容が変更された状態の情報登録画面１０４を示す図である。図９は、選択領域１０６内でのスライド操作が繰り返されることにより、各編集ボックス１０４ａが順番に選択されていく様子を示す図である。
【００５３】
電話帳のアプリケーションの起動された後、さらに、コンタクト情報を登録するための操作が行われると、制御部１１により、コンタクト情報登録処理が実行される。図５および図６に示すコンタクト情報登録処理のステップＳ１１０ないしステップＳ１１２、および、ステップＳ１１５ないしステップＳ１２２の処理が、上述のグローブ対応制御処理に相当する。
【００５４】
制御部１１は、情報登録画面１０４をディスプレイ３に表示させる（Ｓ１０１）。情報登録画面１０４は、図４（ａ）にて説明したとおりである。
【００５５】
制御部１１は、ディスプレイ３に対するタッチ操作が行われたか否かを監視する（Ｓ１０２）。タッチ操作がなされると（Ｓ１０２：ＹＥＳ）、制御部１１は、そのタッチ操作が、編集ボックス１０４ａに対するタップ操作であるか否か、セーブボタン１０４ｃに対するタップ操作であるか否か、および、キャンセルボタン１０４ｂに対するタップ操作であるか否かを判定する（Ｓ１０３、Ｓ１０４、Ｓ１０５）。
【００５６】
編集ボックス１０４ａは、キーボード１０４ｄによる文字等の打ち込みにより情報が入力される入力用の編集ボックス１０４ａ１と、予め用意された複数の候補の中からの選択により情報が入力される選択用の編集ボックス１０４ａ２とを含む。
【００５７】
タップ操作が編集ボックス１０４ａに対してなされた場合（Ｓ１０３：ＹＥＳ）、制御部１１は、タップ操作の対象が、入力用の編集ボックス１０４ａ１および選択用の編集ボックス１０４ａ２の何れであるかを判定する（Ｓ１０６）。タップ操作が入力用の編集ボックス１０４ａ１に対してなされた場合（Ｓ１０６：入力用）、制御部１１は、その入力用の編集ボックス１０４ａ１を入力対象の編集ボックス１０４ａに設定する（Ｓ１０７）。そして、制御部１１は、図７（ａ）に示すように、その入力用の編集ボックス１０４ａ１内にカーソルを表示するとともに、ボックス内を所定の色で照らすなど、その入力用の編集ボックス１０４ａ１にハイライト表示を行う（Ｓ１０８）。一方、タップ操作が選択用の編集ボックス１０４ａ２に対してなされた場合（Ｓ１０６：選択用）、制御部１１は、その選択用の編集ボックス１０４ａ２の表示内容を切り替える（Ｓ１０９）。たとえば、図７（ｂ）に示すように、選択用の編集ボックス１０４ａ２が電話の種類を入力するためのものである場合、選択用の編集ボックス１０４ａ２に対してタップ操作がなされる度に、「携帯」、「自宅」および「会社」の間で、表示内容が順次切り替えられる。
【００５８】
このように、編集ボックス１０４ａへのタップ操作が検出されれば、ステップＳ１０６ないしステップＳ１０９の処理が行われ、グローブの着用の有無に関係なく、編集ボックス１０４ａへのタップ操作に基づいて編集ボックス１０４ａが選択される。
【００５９】
ステップＳ１０２で検出されたタッチ操作が、編集ボックス１０４ａに対するタップ操作、セーブボタン１０４ｃに対するタップ操作およびキャンセルボタン１０４ｂに対するタップ操作の何れでもない場合（Ｓ１０３：ＮＯ→Ｓ１０４：ＮＯ→Ｓ１０５：ＮＯ）、たとえば、編集ボックス１０４ａ、セーブボタン１０４ｃおよびキャンセルボタン１０４ｂ以外の位置へのタップ操作や情報登録画面１０４の任意の位置へのフリック操作またはスライド操作である場合、制御部１１は、ディスプレイ３に選択領域１０６が表示されているか否かを判定する（Ｓ１１０）。
【００６０】
選択領域１０６が表示されていなければ（Ｓ１１０：ＮＯ）、制御部１１は、ステップＳ１０２で検出されたタッチ操作が、グローブを着用したままのタッチ操作であるか否かを判定する（Ｓ１１１）。
【００６１】
グローブがタッチパネル４に触れた場合は、指が直接タッチパネル４に触れた場合に比べ、静電容量の変化量が小さくなる。指やグローブがタッチパネル４に触れたときに静電容量の変化量は最大となるので、たとえば、制御部１１は、タッチ操作の過程において、静電容量の変化量の最大値を検出し、最大値が所定の第１閾値より小さい場合にはグローブによるタッチ操作であり、最大値が第１閾値以上である場合は、指によるタッチ操作であると判定する。また、グローブによるタッチ操作の場合、指によるタッチ操作に比べ、タッチパネル４に対する接触面積が大きくなる。よって、たとえば、制御部１１は、タッチ操作の過程において、接触面積の最大値を検出し、最大値が所定の第２閾値より大きい場合にはグローブによるタッチ操作であり、最大値が第２閾値以下である場合は、指によるタッチ操作であると判定しても良い。あるいは、制御部１１は、静電容量の変化量の最大値が第１閾値より小さく、且つ、接触面積の最大値が第２閾値より大きい場合にはグローブによるタッチ操作であり、それ以外の場合は指によるタッチ操作であると判定しても良い。
【００６２】
グローブを着用したままタッチ操作がなされた場合（Ｓ１１１：ＹＥＳ）、制御部１１は、情報登録画面１０４の編集ボックス１０４ａを避けるようにして、ディスプレイ３に、選択領域１０６を表示させる（Ｓ１１２）。
【００６３】
選択領域１０６は、グローブを着用したまま、その領域内で容易にスライド操作が行えるよう、編集ボックス１０４ａより十分に大きな面積を有する画像とされる。選択領域１０６は、たとえば、図８（ａ）に示すように、縦長の長方形状を有する画像とされる。
【００６４】
制御部１１は、ステップＳ１０２で検出されたタッチ操作に割り当てられた処理があれば（Ｓ１１３：ＹＥＳ）、割り当てられた処理を実行する（Ｓ１１４）。そして、制御部１１は、ステップＳ１０２に処理を戻し、新たなタッチ操作を監視する。
【００６５】
選択領域１０６が表示された後は、ステップＳ１１０において、選択領域１０６が表示中であると判定される。選択領域１０６が表示中である場合（Ｓ１１０：ＹＥＳ）、制御部１１は、ステップＳ１０２で検出されたタッチ操作が、選択領域１０６内でのスライド操作であるか否かを判定する（Ｓ１１５）。
【００６６】
検出されたタッチ操作が、選択領域１０６内でのスライド操作である場合、（Ｓ１１５：ＹＥＳ）、制御部１１は、そのスライド操作が、選択領域１０６内での最初のスライド操作であれば（Ｓ１１６：ＹＥＳ）、情報登録画面１０４の最も上に位置する先頭の編集ボックス１０４ａを入力対象の編集ボックス１０４ａに設定する（Ｓ１１７）。そして、制御部１１は、図８（ｂ）に示すように、先頭の編集ボックス１０４ａ内にカーソルを表示するとともに、先頭の編集ボックス１０４ａにハイライト表示を行う（Ｓ１１８）。
【００６７】
一方、スライド操作が、選択領域１０６内での最初のスライド操作でなければ（Ｓ１１６：ＮＯ）、制御部１１は、次の編集ボックス１０４ａを入力対象の編集ボックス１０４ａに設定し（Ｓ１１９）、その編集ボックス１０４ａ内にカーソルを表示するとともに、その編集ボックス１０４ａにハイライト表示を行う（Ｓ１１８）。なお、入力対象に設定された編集ボックス１０４ａが、選択用の編集ボックス１０４ａである場合には、ハイライト表示は行われるがカーソル表示は行われない。
【００６８】
こうして、図９に示すように、選択領域１０６内でのスライド操作が行われる度に、上から下へ、左から右へと、入力対象となる編集ボックス１０４ａが切り替えられていく。ここで、編集ボックス１０４ａの配置領域に全ての編集ボックス１０４ａが配置できない場合、現在、ディスプレイ３に表示されている編集ボックス１０４ａの下方に存在する編集ボックス１０４ａが入力対象に設定されると、情報登録画面１０４における配置領域の部分がスクロールし、入力対象に設定された編集ボックス１０４ａが現れる。現れた編集ボックス１０４ａ内にカーソルが表示されるとともに、その編集ボックス１０４ａにハイライト表示が行われる。
【００６９】
なお、最後尾の編集ボックス１０４ａが入力対象に設定されているときに、選択領域１０６内でのスライド操作がなされると、次の編集ボックス１０４ａとして先頭の編集ボックス１０４ａが入力対象に設定されるような構成とされても良い。また、切替え順序は、上から下、左から右への順序に限られず、他の順序であっても良い。たとえば、入力頻度の高いコンタクト情報が入力される編集ボックス１０４ａの順位が上位となる順序付けがなされても良い。また、入力が必須の編集ボックス１０４ａと入力が必須でない編集ボックス１０４ａとが存在する場合に、入力が必須の編集ボックス１０４ａの順位が上位となる順位付けがなされても良い。
【００７０】
ステップＳ１０２で検出されたタッチ操作が、選択領域１０６内でのスライド操作でない場合（Ｓ１１５：ＮＯ）、制御部１１は、そのタッチ操作が、選択領域１０６内でのタップ操作であるか否かを判定する（Ｓ１２０）。タッチ操作が、選択領域１０６内でのタップ操作である場合（Ｓ１２０：ＹＥＳ）、制御部１１は、現在、入力対象に設定されている編集ボックス１０４ａが、選択用の編集ボックス１０４ａ２であれば（Ｓ１２１：ＹＥＳ）、ステップＳ１０９と同様に、その選択用の編集ボックス１０４ａ２の表示内容を切り替える（Ｓ１２２）。図８（ｃ）に示すように、選択用の編集ボックス１０４ａ２が電話の種類を入力するためのものである場合、選択領域１０６内でタップ操作がなされる度に、「携帯」、「自宅」および「会社」の間で、表示内容が順次切り替えられる。
【００７１】
ステップＳ１０２で検出されたタッチ操作が、選択領域１０６内でのスライド操作でもタップ操作でもない場合（Ｓ１１５：ＮＯ→Ｓ１２０：ＮＯ）、制御部１１は、そのタッチ操作に割り当てられた処理があれば（Ｓ１１３：ＹＥＳ）、その処理を実行する（Ｓ１１４）。たとえば、入力用の編集ボックス１０４ａ１にカーソル表示とハイライト表示がなされ、その入力用の編集ボックス１０４ａ１への入力を待つ状態にある場合に、キーボード１０４ｄの何れかの文字キーに対してタップ操作がなされると、ステップＳ１１４において、制御部１１により、タップ操作がなされた文字キーに対応する文字を入力する処理が実行され、その入力用の編集ボックス１０４ａ１に、入力された文字が表示される。
【００７２】
入力すべき編集ボックス１０４ａ内へのコンタクト情報の入力が完了し、セーブボタン１０４ｃに対するタップ操作がなされると（Ｓ１０４：ＹＥＳ）、制御部１１は、入力されたコンタクト情報を記憶部１２のコンタクト情報データベース１２ａに保存し（Ｓ１２３）、ディスプレイ３から情報登録画面１０４を消去させる（Ｓ１２４）。また、コンタクト情報の登録を中止するため、キャンセルボタン１０４ｂに対するタップ操作がなされると（Ｓ１０５：ＹＥＳ）、制御部１１は、ディスプレイ３から情報登録画面１０４を消去させる（Ｓ１２４）。こうして、制御部１１は、ディスプレイ３から情報登録画面１０４を消去させると（Ｓ１２４）、コンタクト情報登録処理を終了する。
【００７３】
＜実施例２＞
本実施例では、ウェブブラウザのアプリケーションに、グローブ対応制御処理が適用されている。
【００７４】
図１０および図１１は、ウェブブラウザのアプリケーションに含まれる、ウェブ画面１０５を表示するためのブラウジング処理を示すフローチャートである。図１２（ａ）、（ｂ）および（ｃ）は、それぞれ、リンク画像１０５ａに対するタップ操作がなされた状態のウェブ画面１０５、リンク画像１０５ａに対するタップ操作に基づいて表示されたリンク先のウェブ画面１０５、および、選択領域１０６内でのスライド操作により先頭のリンク画像１０５ａが選択された状態のウェブ画面１０５を示す図である。図１３は、選択領域１０６内でのスライド操作が繰り返されることにより、各リンク画像１０５ａが順番に選択されていく様子を示す図である。
【００７５】
ウェブブラウザのアプリケーションが起動されると、制御部１１により、ブラウジング処理が実行される。図１０および図１１に示すブラウジング処理のステップＳ２０６ないしステップＳ２０８、および、ステップＳ２１１ないしステップＳ２１８の処理が、上述のグローブ対応制御処理に相当する。
【００７６】
制御部１１は、ウェブ画面１０５をディスプレイ３に表示させる（Ｓ２０１）。ウェブ画面１０５は、図４（ｃ）にて説明したとおりである。
【００７７】
ディスプレイ３に対するタッチ操作がなされると（Ｓ２０２：ＹＥＳ）、制御部１１は、そのタッチ操作が、リンク画像１０５ａに対するタップ操作であるか否か、および、クローズボタン１０５ｂに対するタップ操作であるか否かを判定する（Ｓ２０３、Ｓ２０４）。
【００７８】
図１２（ａ）に示すように、タップ操作がリンク画像１０５ａに対してなされた場合（Ｓ２０３：ＹＥＳ）、制御部１１は、図１２（ｂ）に示すように、タップ操作がなされたリンク画像１０５ａが示すリンク先のウェブ画面１０５をディスプレイ３に表示させる（Ｓ２０５）。そして、制御部１１は、ステップＳ２０２に処理を戻し、新たなウェブ画面１０５が表示されたディスプレイ３において、タップ操作の監視を行う。
【００７９】
このように、リンク画像１０５ａに対するタップ操作が検出されれば、ステップＳ２０５の処理が行われ、グローブの着用の有無に関係なく、リンク画像１０５ａに対するタップ操作に基づいてリンク先のウェブ画面１０５がディスプレイ３に表示される。
【００８０】
ステップＳ２０２で検出されたタッチ操作が、リンク画像１０５ａに対するタップ操作およびクローズボタン１０５ｂに対するタップ操作の何れでもない場合（Ｓ２０３：ＮＯ→Ｓ２０４：ＮＯ）、制御部１１は、ディスプレイ３に選択領域１０６が表示されているか否かを判定する（Ｓ２０６）。
【００８１】
選択領域１０６が表示されていなければ（Ｓ２０６：ＮＯ）、制御部１１は、ステップＳ２０２で検出されたタッチ操作が、グローブを着用したままのタッチ操作であるか否かを判定する（Ｓ２０７）。グローブを着用したままタッチ操作がなされた場合（Ｓ２０７：ＹＥＳ）、制御部１１は、ウェブ画面１０５のリンク画像１０５ａを避けるようにして、ディスプレイ３に、選択領域１０６を表示させる（Ｓ２０８）。なお、選択領域１０６は、リンク画像１０５ａよりも面積が大きい。
【００８２】
制御部１１は、ステップＳ２０２で検出されたタッチ操作に割り当てられた処理があれば（Ｓ２０９：ＹＥＳ）、割り当てられた処理を実行する（Ｓ２１０）。たとえば、ウェブ画面１０５の任意の位置に対して、上方向または下方向へのフリック操作がなされた場合、制御部１１は、ウェブ画面１０５を上方向または下方向へスクロールさせる。そして、制御部１１は、ステップＳ２０２に処理を戻し、新たなタッチ操作を監視する。
【００８３】
選択領域１０６が表示された後は、ステップＳ２０６において、選択領域１０６が表示中であると判定される。選択領域１０６が表示中である場合（Ｓ２０６：ＹＥＳ）、制御部１１は、ステップＳ２０２で検出されたタッチ操作が、選択領域１０６内でのスライド操作であるか否かを判定する（Ｓ２１１）。
【００８４】
検出されたタッチ操作が、選択領域１０６内でのスライド操作である場合、（Ｓ２１１：ＹＥＳ）、制御部１１は、そのスライド操作が、選択領域１０６内での最初のスライド操作であれば（Ｓ２１２：ＹＥＳ）、ウェブ画面１０５の最も上に位置する先頭のリンク画像１０５ａを操作対象のリンク画像１０５ａに設定する（Ｓ２１３）。そして、制御部１１は、図１２（ｃ）に示すように、先頭のリンク画像１０５ａにハイライト表示を行う（Ｓ２１４）。
【００８５】
一方、スライド操作が、選択領域１０６内での最初のスライド操作でなければ（Ｓ２１１：ＮＯ）、制御部１１は、次のリンク画像１０５ａを操作対象のリンク画像１０５ａに設定し（Ｓ２１５）、そのリンク画像１０５ａにハイライト表示を行う（Ｓ２１４）。
【００８６】
こうして、図１３に示すように、選択領域１０６内でのスライド操作が行われる度に、上から下へと、操作対象となるリンク画像１０５ａが切り替えられていく。ここで、ウェブ画面１０５全体が一度にディスプレイ３に表示できない場合、現在、ディスプレイ３に表示されているリンク画像１０５ａの下方に存在するリンク画像１０５ａが操作対象に設定されると、ウェブ画面１０５がスクロールし、操作対象に設定されたリンク画像１０５ａが現れる。現れたリンク画像１０５ａにハイライト表示が行われる。
【００８７】
なお、最後尾のリンク画像１０５ａが操作対象に設定されているときに、選択領域１０６内でのスライド操作がなされると、次のリンク画像１０５ａとして先頭のリンク画像１０５ａが操作対象に設定されるような構成とされても良い。また、切替え順序は、上から下の順序に限られず、他の順序であっても良い。たとえば、現在表示されているウェブ画面１０５に関連性の高いウェブ画面１０５がリンク先となるリンク画像１０５ａの順位が上位となる順序付けがなされても良い。
【００８８】
ステップＳ２０２で検出されたタッチ操作が、選択領域１０６内でのスライド操作でない場合（Ｓ２１１：ＮＯ）、制御部１１は、そのタッチ操作が、選択領域１０６内でのタップ操作であるか否かを判定する（Ｓ２１６）。タッチ操作が、選択領域１０６内でのタップ操作である場合（Ｓ２１６：ＹＥＳ）、制御部１１は、何れかのリンク画像１０５ａが操作対象に設定されていれば（Ｓ２１７：ＹＥＳ）、ステップＳ２０５と同様に、そのリンク画像１０５ａが示すリンク先のウェブ画面１０５をディスプレイ３に表示させる（Ｓ２１８）。そして、制御部１１は、ステップＳ２０２に処理を戻し、新たなウェブ画面１０５が表示されたディスプレイ３に対し、タップ操作の監視を行う。
【００８９】
ステップＳ２０２で検出されたタッチ操作が、選択領域１０６内でのスライド操作でもタップ操作でもない場合（Ｓ２１１：ＮＯ→Ｓ２１６：ＮＯ）、制御部１１は、そのタッチ操作に割り当てられた処理があれば（Ｓ２０９：ＹＥＳ）、その処理を実行する（Ｓ２１０）。
【００９０】
ウェブ画面１０５の閲覧が終了し、クローズボタン１０５ｂに対するタップ操作がなされると（Ｓ２０４：ＹＥＳ）、制御部１１は、ディスプレイ３からウェブ画面１０５を消去させ（Ｓ２１９）、ブラウジング処理を終了する。
【００９１】
＜本実施の形態による効果＞
本実施の形態によれば、複数の選択対象となるオブジェクト（編集ボックス１０４ａ、リンク画像１０５ａ）が含まれる画面（情報登録画面１０４、ウェブ画面１０５）がディスプレイ３に表示される場合に、タッチ操作が、グローブを着用したままのタッチ操作であるか否かが判定される。そして、グローブを着用したままでのタッチ操作であるとの判定がなされた場合、オブジェクトよりも領域が大きな選択領域１０６がディスプレイ３に表示され、選択領域１０６内でのスライド操作によりオブジェクトの選択が行われる。したがって、ユーザは、グローブを着用したままでも容易に所望のオブジェクトの選択を行うことができ、誤操作の防止を図ることができる。
【００９２】
複数の選択対象となるオブジェクトが、タッチ操作の途中であってそのオブジェクトがタッチされた段階で、タッチされたことを示す通知がなされないオブジェクトである場合、ユーザは、当該通知に基づいたタッチ位置の修正を行うことができないので、グローブ着用による誤操作が生じると、タッチ操作を繰り返さなければならなくなる。本実施の形態によれば、このようなオブジェクトが含まれる画面に関して、グローブ対応制御処理が行われるため、誤操作の発生によって無駄にタッチ操作が繰り返されてしまう、という事態が生じることを防止できる。
【００９３】
さらに、本実施の形態によれば、選択領域１０６が、選択対象となるオブジェクトを避けるようにディスプレイ３に表示されるので、オブジェクトの表示を妨げることがない。
【００９４】
さらに、本実施の形態によれば、選択領域１０６内での、オブジェクトを選択するためのタッチ操作が、スライド操作、即ち、タッチ位置の移動を伴うタッチ操作であるので、ユーザは、各オブジェクトが順次、選択されていく操作であることを直感でき、分かりやすい。
【００９５】
さらに、本実施の形態によれば、複数の選択対象となるオブジェクトを含む画面（情報登録画面１０４、ウェブ画面１０５）、即ち、選択領域１０６による操作が必要とされる画面が実際に表示されたディスプレイ３に対するタッチ操作に基づいてグローブ着用によるタッチ操作の有無に係る判定が行われるので、選択領域１０６を精度良く表示させることができる。
【００９６】
さらに、本実施の形態によれば、選択対象となるオブジェクトに対して正確にタッチ操作がなされたときには、グローブ着用によるタッチ操作の有無に係る判定は行われず、そのタッチ操作がグローブ着用によるものであった場合でも選択領域１０６が表示されない。このように、不要と思われるときには選択領域１０６が表示されないようにすることで、ディスプレイ３に表示された画面の表示が選択領域１０６の表示によって妨げられることを、極力、防止することができる。
【００９７】
以上、本発明の実施の形態について説明したが、本発明は、上記実施の形態等によって何ら制限されるものではなく、また、本発明の実施の形態も、上記以外に種々の変更が可能である。
【００９８】
＜変更例＞
上記実施の形態では、複数の選択対象となるオブジェクトを含む画面が実際に表示されたディスプレイ３に対するタッチ操作に基づいて、グローブ着用によるタッチ操作の有無に係る判定が行われる。しかしながら、複数の選択対象となるオブジェクトを含む画面が表示される前に、当該画面以外の他の画面がディスプレイ３に表示される際に、グローブ着用によるタッチ操作の有無に係る判定を行うためのグローブ判定処理が、制御部１１により実行されても良い。そして、複数の選択対象となるオブジェクトを含む画面がディスプレイ３に表示されたときに、グローブ判定処理の結果を利用して、選択領域１０６の表示が行われても良い。
【００９９】
記憶部１２には、グローブ判定処理に用いられるグローブ検出フラグが設けられる。
【０１００】
図１４は、本変更例に係る、グローブ判定処理を示すフローチャートである。グローブ判定処理は、たとえば、ディスプレイ３に他の画面が表示される度に実行される。
【０１０１】
制御部１１は、他の画面が表示されたディスプレイ３に対してタッチ操作がなされると（Ｓ３０１）、そのタッチ操作が、グローブを着用したままのタッチ操作であるか否かを判定する（Ｓ３０２）。検出されたタッチ操作が、グローブを着用したままのタッチ操作である場合（Ｓ３０２：ＹＥＳ）、制御部１１は、グローブ検出フラグがリセット状態であれば（Ｓ３０３：ＹＥＳ）、グローブ検出フラグをセットし（Ｓ３０４）、グローブ検出フラグがセット状態であれば（Ｓ３０３：ＮＯ）、セット状態を維持する。一方、検出されたタッチ操作が、グローブを着用したままのタッチ操作でない場合（Ｓ３０２：ＮＯ）、制御部１１は、グローブ検出フラグがセット状態であれば（Ｓ３０５：ＹＥＳ）、グローブ検出フラグをリセットし（Ｓ３０６）、グローブ検出フラグがリセット状態であれば（Ｓ３０５：ＮＯ）、リセット状態を維持する。
【０１０２】
図１５は、本変更例に係る、コンタクト情報登録処理を示すフローチャートである。本変更例のコンタクト情報登録処理では、図５に示す上記実施の形態のコンタクト情報登録処理と対比すると、ステップＳ１０１の処理とステップＳ１０２の処理との間に、ステップＳ１３１およびステップＳ１３２の処理が追加されている。
【０１０３】
本変更例では、情報登録画面１０４が表示されると（Ｓ１０１）、次に、制御部１１は、グローブ検出フラグがセットされているか否かを判定する（Ｓ１３１）。即ち、情報登録画面１０４が表示される以前の画面において、既に、グローブを着用したままのタッチ操作がなされているか否かを判定する。グローブ検出フラグがセットされている場合（Ｓ１３１：ＹＥＳ）、情報登録画面１０４においてもグローブを着用したままのタッチ操作がなされる可能性が高い。よって、制御部１１は、ステップＳ１１２の処理と同様、ディスプレイ３に選択領域１０６を表示させる（Ｓ１３２）。
【０１０４】
なお、本変更例の構成が、コンタクト情報登録処理でなく、ブラウジング処理に適用されても良い。この場合は、図１０に示すブラウジング処理のステップＳ２０１の処理とステップＳ２０２の処理との間に、図１５に示すステップＳ１３１およびステップＳ１３２の処理が追加される。
【０１０５】
このように、本変更例によれば、グローブを着用したままのタッチ操作がなされる可能性が高い場合には、複数の選択対象となるオブジェクトを含む画面が表示されると、タッチ操作を待つことなく、選択領域１０６が表示されるので、ユーザは、グローブを着用している場合に、素早く、選択領域１０６を利用することができる。
【０１０６】
＜その他の変更例＞
上記実施の形態では、選択領域１０６内でのスライド操作に基づいてオブジェクトの選択が行われる。しかしながら、これに限られず、スライド操作と同じタッチ位置の移動を伴うタッチ操作である、フリック操作に基づいてオブジェクトの選択が行われても良い。
【０１０７】
さらに、上記実施の形態では、電話帳のアプリケーションおよびウェブブラウザのアプリケーションにグローブ対応制御処理が適用されている。しかしながら、複数の選択対象のオブジェクトを含む画面を実行画面とする他のアプリケーションにグローブ対応制御処理が適用されても良い。
【０１０８】
さらに、上記実施の形態において、選択領域１０６が表示中のタッチ操作に基づいて、グローブによるタッチ操作の有無に係る判定が行われ、そのタッチ操作が、グローブ着用のままのタッチ操作でないと判定されたときに、選択領域１０６が消去されるような一連の処理が、制御部１１により実行されても良い。このようにすれば、ユーザがグローブを外してタッチ操作を行うと、選択領域１０６がディスプレイ３から消えるので、選択領域１０６で隠れていた画面部分をディスプレイ３に表示させることができる。
【０１０９】
さらに、上記実施の形態の選択領域１０６に替えて、図１６（ａ）に示す選択領域１１６が、グローブによるタッチ操作の有無に係る判定に基づいて、ディスプレイ３に表示されても良い。選択領域１１６は、上下方向に一列に並ぶ複数のバー１１６ａにより構成される。この場合、図１６（ｂ）に示すように、下方へのスライド操作に応じて、上から順番に各バー１１６ａが点灯していく。このようにすれば、各バー１１６ａの点灯により、ユーザは、スライド操作が受け付けられたことを認識できる。
【０１１０】
さらに、上記実施の形態では、１回のスライド操作により、選択対象が１つ先のオブジェクトへと移る。しかしながら、スライド操作の長さに応じて、２つ先、３つ先というように、移動するオブジェクトの個数が変わるような構成とされても良い。この場合、上記の選択領域１１６が用いられると、スライド操作の度合いがユーザに分かりやすくて良い。
【０１１１】
さらに、上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１１２】
さらに、本発明は、携帯電話機に限られず、ＰＤＡ（Personal DigitalAssistant）、タブレットＰＣ（Tablet PC）等、種々の携帯端末装置に適用可能である。さらに、本発明は、デジタルカメラ、デジタルビデオカメラ、携帯音楽プレーヤーおよび携帯ゲーム機にも適用可能である。即ち、本発明は、ディスプレイ上で操作が行われる各種の携帯電子機器に適用可能である。
【０１１３】
この他、本発明の実施形態は、特許請求の範囲に示された技術的思想の範囲内において、適宜、種々の変更が可能である。
【符号の説明】
【０１１４】
３  ディスプレイ
４  タッチパネル
１１  制御部
１０４ａ  編集ボックス
１０５ａ  リンク画像
１０６  選択領域
【図１】
2015225553.tif 000003
【図２】
2015225553.tif 000004
【図３】
2015225553.tif 000005
【図４】
2015225553.tif 000006
【図５】
2015225553.tif 000007
【図６】
2015225553.tif 000008
【図７】
2015225553.tif 000009
【図８】
2015225553.tif 000010
【図９】
2015225553.tif 000011
【図１０】
2015225553.tif 000012
【図１１】
2015225553.tif 000013
【図１２】
2015225553.tif 000014
【図１３】
2015225553.tif 000015
【図１４】
2015225553.tif 000016
【図１５】
2015225553.tif 000017
【図１６】
2015225553.tif 000018